【手続補正書】
【提出日】平成17年10月3日(2005.10.3)
【手続補正１】
【補正対象書類名】明細書
【補正対象項目名】０００７
【補正方法】変更
【補正の内容】
【０００７】
標準初期データ設定手段は、複数の機種のプロセッサそれぞれに応じて定められる複数の標準初期データ一式の中で、ビデオスコープに接続されている特定のプロセッサに応じた標準初期データ一式を設定する。複数の標準初期データ一式は、例えば書き換え可能なメモリなどにあらかじめ格納されており、ビデオスコ
ープが特定のプロセッサと接続されると、特定のプロセッサに応じた標準初期データ一式が信号処理回路のレジスタに設定される。標準初期データ一式は、プロセッサの機種に応じて値が定められており、Ｒ，Ｂゲイン値などはプロセッサの機種毎に異なった値に定められる。接続されたプロセッサに応じた標準初期データ一式が初期設定されると、その接続状態でデータ調整操作が行われる。例えば、標準初期データ一式の中でＲ，Ｂゲイン値を接続されたプロセッサに対してより適正な値にするための調整が施される。調整標準初期データ設定手段は、その調整操作に従い、特定のプロセッサに応じた標準初期データ一式の中で特定の標準初期データを調整標準初期データに置換設定する。ただし、ここでの置換設定に
は、単に設定する場合も含まれる。そして、調整標準初期データが設定された場合、自動調整標準初期データ設定手段は、その他の機種のプロセッサそれぞれに対する標準初期データ一式の中で特定の標準初期データに応じた自動調整対象標準初期データを、特定の標準初期データと調整標準初期データとの値に基いて自動調整標準初期データに置換設定する。特定のプロセッサに対する特定の標準初期データがオペレータにより調整されることによって調整標準初期データが設定されると、他の機種のプロセッサそれぞれに応じた標準初期データも自動的に調整される。したがって、１つのプロセッサにおいて標準初期データを調整するだけでよく、効率的に標準初期データの調整処理が行われる。
【手続補正２】
【補正対象書類名】明細書
【補正対象項目名】００２４
【補正方法】変更
【補正の内容】
【００２４】
図３に示すように、ＥＥＰＲＯＭ５７には、共通の初期データ一式の他にプロセッサＩ、ＩＩ、ＩＩＩそれぞれの原標準初期データ一式が格納されており、所定のアドレスに各項目のデータが記憶されている。各項目のデータは、１バイト又は１ワードのデータである。また、後述するように、特定の標準初期データがすでに調整されているか否かを示す調整状態フラグｂ11〜ｂ1n、ｂ21〜ｂ2n、ｂ31〜ｂ3nが各項目に付き１ビットのデータとして所定のアドレスに格納されている。
【手続補正３】
【補正対象書類名】明細書
【補正対象項目名】００２５
【補正方法】変更
【補正の内容】
【００２５】
図４は、スコープＣＰＵ５６において実行されるメインルーチンを示した図である。
【手続補正４】
【補正対象書類名】明細書
【補正対象項目名】００３７
【補正方法】変更
【補正の内容】
【００３７】
ステップ３０４では、プロセッサＩに対する項目ｊの標準初期データｄ1jが次式に基いて自動的に調整される。
ｄ1j＝ｆ2j（ｄ1j0、ｄ2j0、ｄ2j）              ・・・・・（１）
ただし、以下では、自動的に調整される標準初期データの算出において、ＲＯＭ５８に記憶されているプロセッサＩ、プロセッサＩＩ、プロセッサＩＩＩ用の各項目の実際の値をそれぞれｄ1j0、ｄ2j0、ｄ3j0（ｊ＝１〜ｎ、以下では、これらを原標準初期データという）と表し、図４のステップ１０４においてＥＥＰＲＯＭ５７から読み出されてレジスタ５５Ａに設定されるデータ（標準初期データおよび調整標準初期データ）のプロセッサＩ、プロセッサＩＩ、プロセッサＩＩＩ用の各項目の実際の値をそれぞれｄ1j、ｄ2j、ｄ3jと表す。また、図６のステップ３０１で設定されたプロセッサＩＩに対応する各項目の調整標準初期データの値をｄ2jと表す。また、ｆ2jは、プロセッサＩＩの接続時に設定された調整標準初期データｄ2jに基いてプロセッサＩに応じた自動調整標準初期データｄ1jを算出する関数を表す。
【手続補正５】
【補正対象書類名】明細書
【補正対象項目名】００４２
【補正方法】変更
【補正の内容】
【００４２】
ステップ３０６では、プロセッサＩＩＩに応じた項目ｊの自動調整標準初期データｄ3jが次式によって求められる。
ｄ3j＝ｈ2j（ｄ3j0、ｄ2j0、ｄ2j）               ・・・・・（４）
ただし、関数ｈ2jは、プロセッサＩＩの接続時に設定された調整標準初期データｄ2jに基いてプロセッサＩＩＩに応じた自動調整標準初期データｄ3jを算出する関数を表す。また実施形態例において関数ｈ2jは、関数ｆ2jと同様に、プロセッサＩＩに応じた原標準初期データｄ2j0と調整標準初期データｄ2jとの比ｋ2jを比例定数とする線形関数である。
【手続補正６】
【補正対象書類名】明細書
【補正対象項目名】００４７
【補正方法】変更
【補正の内容】
【００４７】
ステップ５０３では、プロセッサＩＩに応じた調整状態フラグｂ2jが０であるか否かが判断される。すなわち、プロセッサＩＩに応じた項目ｊの標準初期データがオペレータによって調整されていないか判断される。調整状態フラグｂ2jが０でない場合、すなわち項目ｊの標準初期データがすでに調整されている場合、ステップ５０４をスキップしてステップ５０５へ進む。一方、調整状態フラグｂ2jが０である、すなわち項目ｊの標準初期データが調整されていない場合、ステップ５０４へ進む。
【手続補正７】
【補正対象書類名】明細書
【補正対象項目名】００４８
【補正方法】変更
【補正の内容】
【００４８】
ステップ５０４では、プロセッサＩＩに対する項目ｊの自動調整標準初期データｄ2jが次式によって求められる。
ｄ2j＝ｇ1j（ｄ2j0，ｄ1j0，ｄ1j）                ・・・・・（６）
ただし、関数ｇ1jは、プロセッサＩへの接続時に設定された調整標準初期データｄ1jに基いてプロセッサＩＩに応じた自動調整標準初期データｄ2jを算出するための関数であり、実施形態ではプロセッサＩに応じた原標準初期データｄ1j0と調整標準初期データｄ1jとの比（以下では、ｋ1jと表す）を比例定数とする線形関数である。
【手続補正８】
【補正対象書類名】明細書
【補正対象項目名】００５０
【補正方法】変更
【補正の内容】
【００５０】
ステップ５０５では、プロセッサＩＩＩに応じた調整状態フラグｂ3jが０であるか否かが判断される。すなわち、プロセッサＩＩＩに応じた項目ｊの標準初期データがオペレータによって調整されていないか判断される。調整状態フラグｂ3jが０でない場合、すなわち項目ｊの標準初期データがすでに調整されている場合、このままサブルーチンは終了する。一方、調整状態フラグｂ3jが０である、すなわち項目ｊの標準初期データが調整されていない場合、ステップ５０６へ進む。
【手続補正９】
【補正対象書類名】明細書
【補正対象項目名】００５１
【補正方法】変更
【補正の内容】
【００５１】
ステップ５０６では、プロセッサＩＩＩに対する項目ｊの自動調整標準初期データｄ3jが次式によって求められる。
ｄ3j＝ｈ1j（ｄ3j0，ｄ1j0，ｄ1j）               ・・・・・（８）
ただし、関数ｈ1jは、プロセッサＩへの接続時に設定された調整標準初期データｄ1jに基いてプロセッサＩＩＩに応じた自動調整標準初期データｄ3jを算出するための関数であり、実施形態ではプロセッサＩに応じた原標準初期データｄ1j0と調整標準初期データｄ1jとの比ｋ1jを比例定数とする線形関数である。
【手続補正１０】
【補正対象書類名】明細書
【補正対象項目名】００５７
【補正方法】変更
【補正の内容】
【００５７】
ステップ６０４では、プロセッサＩに対する項目ｊの自動調整標準初期データｄ1jが次式によって求められる。
ｄ1j＝ｆ3j（ｄ1j0，ｄ3j0，ｄ3j）              ・・・・・（１０）
ただし、関数ｆ3jは、プロセッサＩＩＩへの接続時に設定された調整標準初期データｄ3jに基いてプロセッサＩに応じた自動調整標準初期データｄ1jを算出するための関数であり、実施形態ではプロセッサＩＩＩに応じた原標準初期データｄ3j0と調整標準初期データｄ3jとの比（以下では、ｋ3jと表す）を比例定数とする線形関数である。
【手続補正１１】
【補正対象書類名】明細書
【補正対象項目名】００６０
【補正方法】変更
【補正の内容】
【００６０】
ステップ６０６では、プロセッサＩＩに対する項目ｊの自動調整標準初期データｄ2jが次式によって求められる。
ｄ2j＝ｇ3j（ｄ2j0，ｄ3j0，ｄ3j）               ・・・・・（１２）
ただし、関数ｇ3jは、プロセッサＩＩＩへの接続時に設定された調整標準初期データｄ3jに基いてプロセッサＩＩに応じた自動調整標準初期データｄ2jを算出するための関数であり、実施形態ではプロセッサＩＩＩに応じた原標準初期データｄ3j0と調整標準初期データｄ3jとの比ｋ3jを比例定数とする線形関数である。